(57)【要約】【課題】  背面プレートに形成された排気孔及び排気管周囲の騷音経路を効果的に遮断するプラズマディスプレイパネル及び装置を提供する。【解決手段】  本発明のプラズマディスプレイパネルは背面プレート１００に形成された排気孔２３及び排気管２５周囲の騷音経路を効果的に遮断するものであって、内部に放電セル１９を形成し、この放電セル１９における気体放電で画像を実現するように互いに封着される第１プレートと第２プレートと；前記放電セル１９と連結される通路を形成して前記第１プレートの一の側周縁に形成される排気孔２３と；前記排気孔２３が形成される第１プレート外側に備えられて前記排気孔２３を通じて放電セル１９に連結される排気管２５と；前記排気孔２３及び排気管２５周囲の前記第１プレートに形成されるパッド３３とを含む。【選択図】  図４
2006093099.tif 000002
【特許請求の範囲】
【請求項１】
内部に放電セルを形成し、この放電セルにおける気体放電で画像を実現するように互いに封着される第１プレート及び第２プレートと、
前記放電セルと連結される通路を形成して前記第１プレートの一の側周縁に形成される排気孔と、
前記排気孔が形成される第１プレートの外側に備えられて前記排気孔を通じて放電セルに連結される排気管と、
前記排気孔及び排気管周囲の前記第１プレートに形成されるパッドを含むことを特徴とするプラズマディスプレイパネル。
【請求項２】
前記パッドは排気管の外周面に接触されることを特徴とする、請求項１に記載のプラズマディスプレイパネル。
【請求項３】
前記パッドはシリコン材で形成されることを特徴とする、請求項１に記載のプラズマディスプレイパネル。
【請求項４】
前記パッドは接着テープで形成されることを特徴とする、請求項１に記載のプラズマディスプレイパネル。
【請求項５】
前記パッドは発泡性接着テープで形成されることを特徴とする、請求項４に記載のプラズマディスプレイパネル。
【請求項６】
内部に放電セルを形成し、この放電セルにおける気体放電で画像を実現するように互いに封着される第１プレート及び第２プレートと、
前記放電セルと連結される通路を形成して第１プレートの一の側周縁に形成される排気孔と、
前記排気孔の第１プレート外側に備えられて前記排気孔を通じて放電セルに連結される排気管と、
前記排気孔及び排気管周囲の前記第１プレートに形成されるパッドと、
前記パッドが形成された前記第１プレートに両面テープで固定されるシャーシーベースを含み、
前記パッドは前記第１プレートと前記シャーシーベースとの対向面に互いに接触されることを特徴とするプラズマディスプレイ装置。
【請求項７】
前記パッドは前記第１プレートと前記シャーシーベースとを固定させる両面テープと独立的に形成されることを特徴とする、請求項６に記載のプラズマディスプレイ装置。
【請求項８】
前記パッドは前記排気管周囲の前記第１プレートとシャーシーベースとの対向面に両面で付着される発泡性接着テープで形成されることを特徴とする、請求項７に記載のプラズマディスプレイ装置。
【請求項９】
前記パッドは前記第１プレートと前記シャーシーベースとを固定させる両面テープの延長部で形成されることを特徴とする、請求項６に記載のプラズマディスプレイ装置。
【発明の詳細な説明】
【技術分野】
【０００１】
本発明は、プラズマディスプレイパネル及びプラズマディスプレイ装置に関し、より詳しくは、排気孔及び排気管周囲の騷音経路を効果的に遮断するプラズマディスプレイパネル及びプラズマディスプレイ装置に関する。
【背景技術】
【０００２】
一般に、プラズマディスプレイパネル（PDP）は放電ガスを内蔵する前面プレートと背面プレートとの封着構造で形成される。この前面プレートは前面基板と、この前面基板の背面に形成された表示電極と、この表示電極を覆う誘電層と、保護膜とを備えて形成される。背面プレートは背面基板と、この背面基板の前面に表示電極と交差して形成されるアドレス電極と、このアドレス電極を覆う誘電層と、この誘電層上に形成されて放電セルを区画する隔壁、及びこの放電セル内に形成される蛍光体層とを備えて形成される。
【０００３】
このように形成されたプラズマディスプレイパネルはアドレス放電後、維持放電、そしてリセット放電を起こして駆動される。つまり、表示電極に維持パルスが印加されれば各放電セルの表示電極の間には電場が形成される。この電場によって放電ガスはエネルギー準位の高いプラズマ状態に励起されて、その後低いエネルギー準位に安定化し、この時、紫外線が発生する。この紫外線は蛍光体をエネルギー準位の高い状態に励起させる。この蛍光体は低いエネルギー準位に安定化しながら可視光を放射し、これによって所望の画像が実現される。
【０００４】
このプラズマディスプレイパネルは背面基板の一の側に排気孔と排気管を備える。これら排気孔及び排気管は前面プレートと背面プレートとを封着した後、両パネルの内部を排気させるために、そして両パネルの内部空間に放電ガスを注入した後、密封するために必ず要求される部分である。このために排気孔と排気管はプラズマディスプレイパネルで画像を表示するディスプレイ領域と電極端子をコネクタに連結するインターコネクション領域の間に備えられる端子連結領域、つまり、ダミー領域によってプラズマディスプレイパネル内の通路を確保する。
【０００５】
このように構成されるプラズマディスプレイパネルを駆動する時、プラズマディスプレイパネルの固有周波数とその駆動回路から表示電極に印加されるプラズマディスプレイパネルの駆動周波数が共振領域に位置しながら、この共振によって騷音が発生する。この騷音は背面基板の一の側に形成された排気孔及び排気管を通じてさらに増幅される。
【発明の開示】
【発明が解決しようとする課題】
【０００６】
本発明の目的は、背面プレートに形成された排気孔及び排気管周囲の騷音経路を効果的に遮断するプラズマディスプレイパネル及びプラズマディスプレイ装置を提供することにある。
【課題を解決するための手段】
【０００７】
本発明によるプラズマディスプレイパネルは、内部に放電セルを形成し、この放電セルにおける気体放電で画像を実現するように互いに封着される第１プレート及び第２プレートと；前記放電セルと連結される通路を形成して前記第１プレートの一の側周縁に形成される排気孔と；前記排気孔が形成される第１プレート外側に備えられて前記排気孔を通じて放電セルに連結される排気管と；前記排気孔及び排気管周囲の前記第１プレートに形成されるパッドとを含む。
【０００８】
また、本発明によるプラズマディスプレイ装置は、前記パッドが形成された前記第１プレートに両面テープで固定されるシャーシーベースを含み、前記パッドは前記第１プレートと前記シャーシーベースとの対向面に互いに接触される。
前記パッドは排気管の外周面に接触されたり、第１プレートとシャーシーベースとの対向面に互いに接触状態にこれらの間に設けられ、排気孔及び排気管周囲の騷音と振動を直接吸収することが好ましい。
【０００９】
また、このパッドは第１プレートとシャーシーベースとを固定させるように両面テープと独立的に形成されたり、両面テープの延長部に形成されてもよい。
また、このパッドはシリコン材で形成されたり、単純な接着テープまたは発泡性接着テープで形成されて優れた騷音及び振動吸水性を有することが好ましい。
【発明の効果】
【００１０】
本発明によれば、背面プレートの一の側周縁に排気孔が備えられ、この排気孔周囲に排気管が備えられ、この排気孔及び排気管の周囲にパッドまたは接着テープが備えられる。これによって、排気孔及び排気管周囲の騷音及び振動が吸収され、排気孔及び排気管周囲でプラズマディスプレイパネル全体に伝達される騷音経路が効果的に遮断される。
【００１１】
また、本発明によれば、パッドをシリコン材や発泡性接着テープで形成することによって、排気孔及び排気管周囲で騷音及び振動がより効果的に吸収できる。
【発明を実施するための最良の形態】
【００１２】
以下の好ましい実施例を、添付した図面に基づいて詳細に説明することによって、本発明の利点と長所がより明確になる。
【００１３】
図１は本発明の一実施例によるプラズマディスプレイパネルとシャーシーベースを分解して示したプラズマディスプレイ装置の分解斜視図であり、図２は本発明の一実施例によるプラズマディスプレイパネルの部分分解斜視図である。
【００１４】
図１と図２に示すように、本実施例によるプラズマディスプレイパネルはその内部に気体放電を利用して画像を実現する放電セル１９を備え、この放電セル１９は第１プレート１００（以下、‘背面プレート’と言う）と第２プレート２００（以下、‘前面プレート’と言う）を互いに封着することによって形成される。この放電セル１９の高さは背面プレート１００と前面プレート２００の厚さに比べて低いために、図１は実質的に背面基板１と前面基板２が直接封着されたような状態を示している。
【００１５】
より具体的に説明すれば、本実施例によるプラズマディスプレイパネルには前面プレート２００を形成する前面基板２の内表面に表示電極である維持電極３及び走査電極５が備えられ、背面プレート１００を形成する背面基板１の内表面にアドレス電極９が備えられる。この維持電極３と走査電極５は前面基板２の内表面に備えられて誘電層１１と保護膜１３の積層構造で覆われる。また、アドレス電極９は背面基板１の内表面に備えられて誘電層１５で覆われる。この誘電層１５の上部には隔壁１７が形成されて放電セル１９を形成し、放電セル１９の内側に蛍光層２１が形成される。この放電セル１９内にはネオン（Ne）及びキセノン（Xe）のような不活性ガスが混合状態に充填される。前記表示電極とアドレス電極９は前記放電セル１９に対応してこの放電セル１９を間に置いて互いに交差する状態に備えられるために放電セル１９が選択できる。隔壁１７は一方向（ｙ軸方向）にのみ伸びる帯状に形成されているが、前記ｙ軸方向とｘ軸方向に交差して伸びるマトリクス状に形成することもできる。
【００１６】
このプラズマディスプレイパネルの背面基板１には放熱シート２７と両面テープ２９（図１参照）が備えられる。そして、このプラズマディスプレイパネルはシャーシーベース３１に固定されて本発明によるプラズマディスプレイ装置が形成される。このプラズマディスプレイ装置において、放熱シート２７はPDP駆動で発生する熱をシャーシーベース３１に伝達する。そして両面テープ２９はこの放熱シート２７が背面基板１とシャーシーベース３１との間に位置するように背面基板１を、つまり、プラズマディスプレイパネルをシャーシーベース３１に固定する。
【００１７】
前記のように構成されるプラズマディスプレイパネルを駆動する時、アドレス期間でアドレス電極９に印加されるアドレスパルスと走査電極５に印加されるスキャンパルスによってアドレス放電が起こり、これによって点灯される放電セル１９が選択される。そして、維持期間で走査電極５と維持電極３に交互に印加される陽、陰の維持パルスによって維持放電が起こり、これによって画像が実現される。
【００１８】
このようなプラズマディスプレイパネルの製造過程において、互いに封着される前面基板２と背面基板１との間に形成される放電セル１９に空気が残存する。したがって、この放電セル１９内部の空気を排出させた後、この空間に放電ガスを注入し、その注入通路を密封する過程を経る。このために、図３及び図４に示されているように、プラズマディスプレイパネルには背面プレート１００の一側に、より詳しくは、背面基板１の一側に形成される排気孔２３と、この排気孔２３の周囲に装着される排気管２５が備えられる。
【００１９】
前面基板２及び背面基板２は、ガラスフリット１０１でその外郭が封着され、前記排気孔２３は前面基板２と背面基板１との間に形成される放電空間、つまり、放電セル１９を外部と連結する通路として作用する。そして排気管２５はこの排気孔２３の背面基板１外側に装着され、その外側方向に突出形成される。これにより、排気及び注入時にプラズマディスプレイパネルの内部が外部と連結され、放電ガスの注入完了後には排気管２５が密封されてプラズマディスプレイパネルの内部と外部が互いに隔離される。また、この排気管２５は背面基板１表面から突出形成される。その結果、シャーシーベース３１の一の側周縁に形成される貫通孔３１ａ内に排気管２５を位置させたり、この貫通孔３１ａを通じて排気管２５が外部に突き出されることによって背面基板１とシャーシーベース３１の固定が可能になる。
【００２０】
前記排気孔２３と排気管２５は背面基板１に対して垂直方向（ｚ軸方向）の直線状態に形成される。この排気孔２３と排気管２５は多様な構造の断面形状を有することができるが、本実施例は最も好ましい円形を例示している。つまり、排気孔２３が円形断面に形成されることによって、背面基板１に作用する外力によってこの排気孔２３部分に応力が集中しつつ背面基板１が破損することを効果的に防止できる。排気管２５も円形に形成されて排気及びガス注入時に作用する圧力に効果的に耐えられる。
【００２１】
前記プラズマディスプレイパネルを駆動する時、プラズマディスプレイパネルの固有周波数とプラズマディスプレイパネルとの駆動周波数の共振によってプラズマディスプレイパネルの側面で振動及び騷音が発生する。この共振時、排気孔２３と排気管２５内部に存在する空間が響き筒として作用し、前記側面で発生した振動及び騷音がさらに増幅される。この振動及び騷音を吸収するために、排気孔２３及び排気管２５周囲の背面基板１にパッド３３が備えられている。
【００２２】
前記パッド３３は、プラズマディスプレイパネルの駆動時に排気孔２３及び排気管２５の内部及び周囲で発生する振動及び騷音を効果的に吸収できる構造及び材質に多様に形成することができる。このパッド３３はプラズマディスプレイパネルで発生する騷音源を基本的に除去するものであると言うよりは、発生した騷音の伝達経路を遮断するものであると考えられる。このパッド３３は排気管２５の外周面に接触されない状態に排気孔２３周囲に付着されても良いが、本実施例のように排気管２５の外周面に直接接触された状態で排気孔２３周囲に付着されても良い。これにより、排気孔２３及び排気管２５内で発生する共振による振動が直接吸収され、プラズマディスプレイパネルの側面で振動及び騷音の吸収性能をさらに向上させることができる。
【００２３】
また、このパッド３３は前記排気孔２３周囲の背面基板１にのみ付着されても良いが、図４に示すように背面基板１とシャーシーベース３１の対向面の間に設けられて、これら両側対向面に接触されても良い。このようにパッド３３が背面基板１とシャーシーベース３１の対向面の両側に接触されることによって、プラズマディスプレイパネルで発生した騷音及び振動がパッド３３で吸収され、吸収されなかった騷音及び振動がシャーシーベース３１に伝達されて振動及び騷音の吸収性能をさらに向上できる。この場合、前記パッド３３は両面テープ２９の厚さと同一厚さに形成され、背面基板１とシャーシーベース３１とが側面から浮き立たない水平状態に固定させるのが好ましい。
【００２４】
また、前記パッド３３は、図４に示すようにプラズマディスプレイパネルの背面基板１側をシャーシーベース３１に固定させる両面テープ２９と独立的に形成することができる。これは両者を単純に固定させる両面テープ２９に比べて効果的に騷音及び振動を吸収できるパッド３３が両面テープ２９の材質及び構成に関係なく別途の材質で形成できるので設計の自由度が増大する。
【００２５】
さらに、パッド３３２は図５に示すように背面基板１とシャーシーベース３１を固定させる両面テープ２９２の延長部２９２ａでも形成できる。この場合、パッド３３２は両面テープ２９２と一体型構造を成す。このような一体型構造は両面テープ２９２とパッド３３２を別途に備えなくても良いので、パッド３３２による作業工程数の増加を防止することができる。この場合にも、前記延長部２９２ａは排気管２５と分離できるが、図５に示したように前記延長部２９２ａを排気管２５の外周面に接触させることが騷音及び振動を吸収するのにより有利である。
【００２６】
前記のようなパッド３３、３３２は振動及び騷音を吸収する性能に優れたシリコン材で形成することができる。また、パッド３３、３３２は両面テープ２９、２９２と一体または独立的に形成できるのは当然のことであり、単純な接着テープまたは気孔層を多く含有している発泡性接着テープで形成することもできる。
【００２７】
上記では本発明の好ましい実施例について説明したが、本発明はこれに限定されず、特許請求の範囲と発明の詳細な説明及び添付した図面の範囲内で多様に変形させて実施することができ、これも本発明の範囲に属する。
【図面の簡単な説明】
【００２８】
【図１】本発明の一実施例によるプラズマディスプレイパネルとシャーシーベースを分解して示したプラズマディスプレイ装置の分解斜視図である。
【図２】本発明の一実施例によるプラズマディスプレイパネルの部分分解斜視図である。
【図３】排気孔及び排気管周囲の第１実施例を拡大して示した図１の部分正面図である。
【図４】図３のＡ−Ａ線による断面図である。
【図５】排気孔及び排気管周囲の第２実施例を拡大して示した図１の部分正面図である。
【符号の説明】
【００２９】
１  背面基板
２  前面基板
３  維持電極
５  走査電極
９  アドレス電極
１１、１５  誘電層
１３  保護膜
１７  隔壁
１９  放電セル
２１  蛍光層  ２３  排気孔
２５  排気管
２７  放熱シート
２９、２９２  両面テープ
３１  シャーシーベース
３１ａ  貫通孔
３３、３３２  パッド
１００  背面プレート
１０１  ガラスフリット
２００  前面プレート
２９２ａ  延長部
【図１】
2006093099.tif 000003
【図２】
2006093099.tif 000004
【図３】
2006093099.tif 000005
【図４】
2006093099.tif 000006
【図５】
2006093099.tif 000007